(57)【要約】【課題】光源体を交換して組付けでき、移動可能で、水に投入しても水面に浮き上がって光線を投射できること。【解決手段】本体の前端の外周面には相違する光源体を交換可能な組付構造が設けられており、光源体は組付台を有し、組付台には本体の前記組付構造に応じて組付構造が設けられ、組付台の内部には発光源が設けられ、発光源には導電子が電気的に接続しており、組付台には笠がカバーされており、前記発光源には反射笠が設けられている。【選択図】図２
2010212063.tif 000002
【特許請求の範囲】
【請求項１】
本体が設けられており、前記本体の前端の外周面には組付構造が設けられており、前記組付構造には、場合によって相違する光源体を交換して組付けることができ、前記光源体は組付台を有し、前記組付台には、前記本体の前記組付構造に応じて組付構造が設けられており、前記組付台の内部には発光源が設けられており、前記発光源には導電子が電気的に接続しており、前記組付台には笠がカバーされており、前記発光源には反射笠が設けられていることを特徴とする
移動可能の照明ランプ。
【請求項２】
前記本体に設けられた前記組付構造と、前記光源体の組付台に設けられた前記組付構造と、の接続は、螺着方式を採用することを特徴とする、請求項１に記載の移動可能の照明ランプ。
【請求項３】
前記光源体は、前記組付台の外端にはフロント蓋が設けられており、前記フロント蓋により前記笠が前記組付台に定位されていることを特徴とする、請求項１に記載の移動可能の照明ランプ。
【請求項４】
前記光源体は一般の照明に使用することができることを特徴とする、請求項１に記載の移動可能の照明ランプ。
【請求項５】
前記光源体内に設けられた反射笠は円弧形状に窪んでおり、前記反射笠により、前記発光源からの光線が外部に反射され、広範囲を照明することができることを特徴とする、請求項１に記載の移動可能の照明ランプ。
【請求項６】
前記光源体の前端の外周面には凸部が設けられており、前記凸部により、品物を掘り出し、又はガラスなどの脆性物を破壊することができることを特徴とする、請求項１に記載の移動可能の照明ランプ。
【請求項７】
前記光源体の前記組付台の外周面に設けられた笠は、中空であり、その内部にはエアが充満されており、照明ランプを水に投入したと、照明ランプが水面に浮き上がって光線が外部に投射することを特徴とする、請求項１に記載の移動可能の照明ランプ。
【発明の詳細な説明】
【技術分野】
【０００１】
本発明は、照明ランプに関し、特に、場合によって相違する光源体を交換して組付けることができ、移動可能であり、水に投入されても、水面に浮き上がって光線が外部に投射する移動可能の照明ランプに関するものである。
【背景技術】
【０００２】
従来の照明ランプは、本体と、笠台と、底蓋と、から構成される。前記本体の上端の内部には発光ユニットが設けられており、前記発光ユニットの電源に電池を採用し、且つ前記発光ユニットのオン・オフがスイッチ部に制御され、前記底蓋によって前記電池が前記本体の内部に規制される。
【０００３】
また、前記笠台は、前記発光ユニットをカバーしており、前記本体の上端に締め付けられている。
【０００４】
しかし、このような照明ランプによれば、照明の効果を達成することができるが、その他の付加機能が全くなく、そして光源体が一つだけを有し、場合によって相違する光源体を交換して組付けることにより、用途を広げることができないという問題があった。
【発明の概要】
【発明が解決しようとする課題】
【０００５】
本発明の主な目的は、場合によって相違する光源体を交換して組付けることができ、移動可能であり、水に投入されても、水面に浮き上がって光線が外部に投射する移動可能の照明ランプを提供することにある。
【課題を解決するための手段】
【０００６】
本発明の請求項１に記載の移動可能の照明ランプによると、本体が設けられており、前記本体の前端の外周面には組付構造が設けられており、前記組付構造には、場合によって相違する光源体を交換して組付けることができ、前記光源体は組付台を有し、前記組付台には、前記本体の前記組付構造に応じて組付構造が設けられており、前記組付台の内部には発光源が設けられており、前記発光源には導電子が電気的に接続しており、前記組付台には笠がカバーされており、前記発光源には反射笠が設けられていることを特徴とする移動可能の照明ランプである。
本発明の請求項２に記載の移動可能の照明ランプによると、前記本体に設けられた前記組付構造と、前記光源体の組付台に設けられた前記組付構造と、の接続は、螺着方式を採用する。
本発明の請求項３に記載の移動可能の照明ランプによると、前記光源体は、前記組付台の外端にはフロント蓋が設けられており、前記フロント蓋により前記笠が前記組付台に定位されている。
本発明の請求項４に記載の移動可能の照明ランプによると、前記光源体は一般の照明に使用することができる。
本発明の請求項５に記載の移動可能の照明ランプによると、前記光源体内に設けられた反射笠は円弧形状に窪んでおり、前記反射笠により、前記発光源からの光線が外部に反射され、広範囲を照明することができる。
本発明の請求項６に記載の移動可能の照明ランプによると、前記光源体の前端の外周面には凸部が設けられており、前記凸部により、品物を掘り出し、又はガラスなどの脆性物を破壊することができる。
本発明の請求項７に記載の移動可能の照明ランプによると、前記光源体の前記組付台の外周面に設けられた笠は、中空であり、その内部にはエアが充満されており、照明ランプを水に投入したと、照明ランプが水面に浮き上がって光線が外部に投射する。
【発明の効果】
【０００７】
本発明の移動可能の照明ランプによれば、場合によって相違する光源体を交換して組付けることができ、移動可能であり、水に投入されても、水面に浮き上がって光線が外部に投射するという効果を有する。
【図面の簡単な説明】
【０００８】
【図１】本発明の構造を示す断面図である。
【図２】本発明の実施例１の構造を示す断面図である。
【図３】本発明の実施例１の外観を示す模式図である。
【図４】本発明の実施例２の構造を示す断面図である。
【図５】本発明の実施例２の外観を示す模式図である。
【図６】本発明の実施例３の構造を示す断面図である。
【図７】本発明の実施例３の外観を示す模式図である。
【図８】本発明の実施例４の構造を示す断面図である。
【図９】本発明の実施例４の外観を示す模式図である。
【発明を実施するための最良の形態】
【０００９】
以下、本発明の実施の形態を図面に基づいて説明する。
まず、図１を参照する。図１は本発明の構造を示す断面図である。本発明に係る移動可能の照明ランプは、本体１が設けられており、本体１の内部には電池を収容する電池収容チェンバー１１が設けられており、本体１の末端にはリア蓋１２が設けられており、リア蓋１２にはスイッチ部１３が設けられており、本体１の前端の外周面には組付構造１４が設けられており、組付構造１４は螺旋段でもよい。
【００１０】
図２及び図３を参照する。図２は本発明の実施例１の構造を示す断面図であり、図３は本発明の実施例１の外観を示す模式図である。本体１の組付構造１４には、光源体２を組付けることができ、光源体２には組付台２１が設けられており、組付台２１には、本体１に設けられた組付構造１４に応じて組付構造２１１が設けられている。すなわち、本体１に設けられた組付構造１４が螺旋段である場合には、組付構造２１１が螺旋段であり、組付台２１の内部には発光源２２が設けられている。発光源２２には導電子２３が電気的に接続している。組付台２１には笠２４がカバーされており、発光源２２には反射笠２５が設けられており、フロント蓋２６により笠２４が組付台２１に定位されている。
【００１１】
このように、本発明に係る移動可能の照明ランプは、場合によって相違する光源体２を交換して組付けて、電池収容チェンバー１１に電池１１１を入れて、組付構造１４、２１１により本体１と光源体２を結合すると、ユーザがスイッチ部１３を押圧することにより、電池１１１の電流が発光源２２に流されて発光源２２が発光し、発光源２２からの光線が反射笠２５に反射されて外部に射出する。
【００１２】
光源体２は、場合によって相違する光源体を交換して組付けることができ、例えば、図２及び図３に示すような一般の光源体２を使用してもいいし、図４及び図５に示すような光源体２を使用してもよい。このような光源体２は、その内部にある反射笠２５が大面積の円弧形状の窪みに形成され、これにより、発光源２２からの光線が反射笠２５に反射されて広範囲を照明することができる。
【００１３】
そして光源体２は、図６及び図７に示すような光源体２を使用してもよい。
このような光源体２は、その前端の外周面には凸部が設けられており、前記凸部により、品物を掘り出し、又はガラスなどの脆性物を破壊することができる。
すなわち、車両が水に落ちる場合には、ユーザが本発明に係る凸部によって車両にあるガラスを破壊して車両から脱出することができる。
【００１４】
次に、図８及び図９を参照する。本発明に係る光源体２の組付台２１の外周面に設けられた笠２４は、中空であり、その内部にはエアが充満されており、本発明に係る照明ランプを水に投入したと、照明ランプが水面に浮き上がって光線が外部に投射することにより、魚を誘うための照明ランプ、又は救助を求めるための照明ランプとすることができる。
【００１５】
このように、本発明が、特定の例を参照して説明されたが、それらの例は、説明のためだけのものであり、本発明を限定するものではなく、この分野に通常の知識を有する者には、本発明の精神および範囲を逸脱することなく、ここで開示された実施例に変更、追加、または、削除を施してもよいことがわかる。
【産業上の利用可能性】
【００１６】
本発明は、照明ランプに適用することができる。
【符号の説明】
【００１７】
１：本体、２：光源体、１１：電池収容チェンバー、１２：リア蓋、１３：スイッチ部、１４：組付構造、２１：組付台、２２：発光源、２３：導電子、２４：笠、２５：反射笠、２６：フロント蓋、１１１：電池、２１１：組付構造。
【図１】
2010212063.tif 000003
【図２】
2010212063.tif 000004
【図３】
2010212063.tif 000005
【図４】
2010212063.tif 000006
【図５】
2010212063.tif 000007
【図６】
2010212063.tif 000008
【図７】
2010212063.tif 000009
【図８】
2010212063.tif 000010
【図９】
2010212063.tif 000011